(57)【特許請求の範囲】
【請求項１】
導線が巻回された平面コイル部と、
前記平面コイル部のコイル面を載置し、前記平面コイル部のコイル面に対向するように設けられた磁性シートと、
前記磁性シートに設けられ、前記平面コイル部の巻き始めの点から前記磁性シートの端部にまで延び、前記平面コイル部の導線の一部を収納するスリットと、
前記磁性シートに縦方向と横方向それぞれに複数設けられ、前記磁性シートに柔軟性をもたせるスリットと、を備え、
前記柔軟性をもたせるスリットのいずれかが、前記導線の一部を収納するスリットの長手方向と平行であり、前記収納スリットの長手方向に伸びる側面に一致することを特徴とする非接触充電モジュール。
【請求項２】
前記磁性シートは矩形であることを特徴とする請求項１に記載の非接触充電モジュール。
【請求項３】
前記柔軟性をもたせるスリットを構成する縦方向のスリットと横方向のスリットとは互いに直交することを特徴とする請求項１に記載の非接触充電モジュール。
【請求項４】
請求項１乃至請求項３のいずれかに記載の非接触充電モジュールを用いたことを特徴とする非接触充電機器。
【発明の詳細な説明】
【技術分野】
【０００１】
本発明は、渦巻状の銅線からなる平面コイル部と磁性シートとを有する非接触充電モジュール及び非接触充電機器に関する。
【背景技術】
【０００２】
近年、本体機器を充電器で非接触充電することのできるものが多く利用されている。これは、充電器側に送電用コイル、本体機器側に受電用コイルを配し、両コイル間に電磁誘導を生じさせることにより充電器側から本体機器側に電力を伝送するものである。そして、上記本体機器として携帯端末機器等を適用することも提案されている。
【０００３】
この携帯端末機器等の本体機器や充電器に用いられる非接触充電モジュールは、薄型化や小型化が要望されるものである。この要望に応えるため、（特許文献１）のように、この種の非接触充電モジュールは送電用コイルや受電用コイルとしての平面コイル部と、磁性シートとを備えることが考えられる。また、磁性シートに関しては、（特許文献２）のようにスリットを入れて柔軟性を有するものがあった。
【先行技術文献】
【特許文献】
【０００４】
【特許文献１】特開２００６−４２５１９号公報
【特許文献２】特許第４４００５０９号公報
【発明の概要】
【発明が解決しようとする課題】
【０００５】
（特許文献１）に記載の非接触充電モジュールに採用されている磁性シートは、平板状の磁性シートであり、柔軟性を備えていないという課題があった。このため、非接触充電モジュールの取り扱い方により、磁性シートが破損してしまい、電力伝送特性に悪影響を与えてしまう。
【０００６】
このため、（特許文献２）に記載された、スリットを入れることで柔軟性を備えた磁性シートをこの種の非接触充電モジュールに搭載されることが検討されている。（特許文献２）に記載された磁性シートを非接触充電モジュールに採用すると、磁性シートは柔軟性を備えるようになるが、スリット群によって電力伝送効率が低下してしまう。
【０００７】
そこで、本発明は、上記の問題に鑑み、スリットの入った柔軟性を有する磁性シートを採用することによって、磁性シートが破損してしまい電力伝送特性に悪影響を与えてしまうことを防止し、かつ非接触充電モジュールの電力伝送効率を大きく低下させることを防止することができる非接触充電モジュールを提供することを目的とする。
【課題を解決するための手段】
【０００８】
上記課題を解決するために本発明は、導線が巻回された平面コイル部と、前記平面コイル部のコイル面を載置し、前記平面コイル部のコイル面に対向するように設けられた磁性シートと、前記磁性シートに設けられ、前記平面コイル部の巻き始めの点から前記磁性シートの端部にまで延び、前記平面コイル部の導線の一部を収納するスリットと、前記磁性シートに縦方向と横方向それぞれに複数設けられ、前記磁性シートに柔軟性をもたせるスリットと、を備え、前記柔軟性をもたせるスリットのいずれかが、前記導線の一部を収納するスリットの長手方向と平行であり、前記収納スリットの長手方向に伸びる側面に一致することを特徴とする非接触充電モジュールとした。
【発明の効果】
【０００９】
本発明によれば、柔軟性を有する磁性シートを採用することによって、磁性シートが破損してしまい電力伝送特性に悪影響を与えてしまうことを防ぎ、かつ非接触充電モジュールの電力伝送効率を大きく低下させることを防止することができる。
【図面の簡単な説明】
【００１０】
【図１】本発明の実施の形態における非接触充電モジュールの組立図
【図２】本発明の実施の形態における非接触充電モジュールの概念図
【図３】本発明の実施の形態における非接触充電モジュールの磁性シートの詳細図
【発明を実施するための形態】
【００１１】
請求項１に記載の発明は、導線が巻回された平面コイル部と、前記平面コイル部のコイル面を載置し、前記平面コイル部のコイル面に対向するように設けられた磁性シートと、前記磁性シートに設けられ、前記平面コイル部の巻き始めの点から前記磁性シートの端部にまで延び、前記平面コイル部の導線の一部を収納するスリットと、前記磁性シートに縦方向と横方向それぞれに複数設けられ、前記磁性シートに柔軟性をもたせるスリットと、を備え、前記柔軟性をもたせるスリットのいずれかが、前記導線の一部を収納するスリットの長手方向と平行であり、前記収納スリットの長手方向に伸びる側面に一致することを特徴とする非接触充電モジュールであって、磁性シートは複数の第２のスリットが入ることで柔軟性を有するとともに、第１のスリットと第２のスリットとは斜めに交差することは無く、磁性シートが小片に分解する領域が少なく、また第１のスリットと第２のスリットとが重なり合って第２のスリットの領域を少なくするので、磁性シートの膜厚が薄くなる領域の増加を防ぎ、非接触充電モジュールの電力伝送特性に悪影響を与えてしまうことを防止し、かつ非接触充電モジュールの電力伝送効率を大きく低下させることを防止することができる。
【００１４】
請求項２に記載の発明は、前記磁性シートは矩形であることを特徴とする請求項１に記載の非接触充電モジュールであって、磁性シートと切り込みとは斜めに交差することは無く、磁性シートが小片に分解する領域が少ないので、磁性シートの膜厚が薄くなる領域の増加を防ぎ、非接触充電モジュールの電力伝送特性に悪影響を与えてしまうことを防止し、かつ非接触充電モジュールの電力伝送効率を大きく低下させることを防止することができる。
【００１５】
請求項３に記載の発明は、前記柔軟性をもたせるスリットを構成する縦方向のスリットと横方向のスリットとは互いに直交することを特徴とする請求項１に記載の非接触充電モジュールであって、磁性シートの縦横２方向に柔軟性を持たせることができるとともに、磁性シートと切り込みとは斜めに交差することは無く、磁性シートが小片に分解する領域が少ないので、磁性シートの膜厚が薄くなる領域の増加を防ぎ、非接触充電モジュールの電力伝送特性に悪影響を与えてしまうことを防止し、かつ非接触充電モジュールの電力伝送効率を大きく低下させることを防止することができる。
【００１６】
請求項４に記載の発明は、請求項１乃至請求項３のいずれかに記載の非接触充電モジュールを用いたことを特徴とする非接触充電機器であって、スリットと切り込みとは斜めに交差することは無く、磁性シートが小片に分解する領域が少ないので、磁性シートの膜厚が薄くなる領域の増加を防ぎ、非接触充電モジュールの電力伝送特性に悪影響を与えてしまうことを防止し、かつ非接触充電モジュールの電力伝送効率を大きく低下させることを防止することができる。
【００１７】
（実施の形態）
以下、本発明の実施の形態について図面を用いて説明する。図１は、本発明の実施の形態における非接触充電モジュールの組立図である。図２は、本発明の実施の形態における非接触充電モジュールの概念図であって（ａ）は上面図、（ｂ）は図２（ａ）のＡ−Ａ´方向から見た断面図、（ｃ）は図２（ａ）のＢ−Ｂ´方向から見た断面図である。図３は、本発明の実施の形態における非接触充電モジュールの磁性シートの詳細図である。なお、図２においては、磁性シート３に設けられたスリットとコイル２１の導線の線径がかなり近い値であるが、実際は導線の線径が０．２５〜０．３５ｍｍ程度、スリットが２ｍｍ程度である。もちろん、この値に限られるものではない。
【００１８】
図１に示すとおり、本願発明の非接触充電モジュール１は、導線が渦巻き状に巻回された平面コイル部２と、平面コイル部２のコイル２１の面に対向するように設けられた磁性シート３とを備える。
【００１９】
平面コイル部２は、面上で渦を描くように径方向に向けて導電体を巻いたコイル２１と、コイル２１の両端に設けられた端子２２、２３を備える。コイル２１は導線を平面上で平行に巻回したものであり、コイルによって形成された面をコイル面と呼ぶ。本実施の形態では、コイル２１は直径が２０ｍｍの内径から外に向かって巻回され、外径が３０ｍｍとなっている。すなわち、コイル２１はドーナツ形状に巻回されている。なお、コイル２１は円形に巻回されてもよいし、多角形に巻回されてもよい。
【００２０】
また、導線はお互いに空間を空けるように巻回されることによって、上段の導線と下段の導線との間の浮遊容量が小さくなり、コイル２１の交流抵抗を小さく抑えることができる。また、空間を詰めるように巻回されることによって、コイル２１の厚みを抑えることができる。
【００２１】
また、図２のように本実施の形態においては、コイル２１の導線の断面は円形状としているが、方形形状などの形状でもよい。ただし、断面が方形状の導線と比較して円形状の導線とでは、隣り合う導線どうしの間に隙間が生じるため、導線間の浮遊容量が小さくなり、コイル２１の交流抵抗を小さく抑えることができる。
【００２２】
また、コイル２１は厚さ方向に２段で巻回するよりも１段で巻回した方がコイル２１の交流抵抗が低くなり、伝送効率を高くすることができる。これは、２段で導線を巻回すると、上段の導線と下段の導線との間に浮遊容量が発生するためである。従って、コイル２１は全体を２段で巻回するよりも、なるべく多くの部分を１段によって巻回した方がよい。また、１段で巻回することによって、非接触充電モジュール１として薄型化することができる。なお、コイル２１の交流抵抗が低いことでコイル２１における損失を防ぎ、コイル２１のインダクタンスであるＬ値を向上させることによって、Ｌ値に依存する非接触充電モジュール１の電力伝送効率を向上させることができる。
【００２３】
また、本実施の形態においては、図２に示すコイル２１の内側の内径Ｘは１０ｍｍ〜２０ｍｍであり、外径Ｙは約３０ｍｍである。同じ設置面積を持つ非接触充電モジュール１においては内径Ｘが小さいほどコイル２１のターン数を増やすことができ、Ｌ値を向上させることができる。
【００２４】
なお、端子２２、２３はお互いに近接してもよく、離れて配置されてもよいが、離れて配置された方が非接触充電モジュール１を実装しやすい。
【００２５】
磁性シート３は電磁誘導作用を利用した非接触充電の電力伝送効率を向上させるとともに磁性シート３裏面側への磁束漏れを低減するために設けたものであって、図２（ａ）に示す通り、平坦部３１と、中心であってコイル２１の内径に相当する部分が筒抜けになっている中心部３２と、スリット３３とを備える。
【００２６】
また、図２（ａ）および（ｂ）に示すとおり、磁性シート３には、シートの柔軟性を備えるために磁性シート３に間隔２ｍｍで縦横にＶ字状の縦横スリット３６が形成されている。なお、縦横スリット３６の形状は、溝状に形成するものであれば、いずれの形状であってもよく、例えば、Ｕ字状であってもよい。また、図２および図３において、縦横スリット３６は他の部分よりも誇大して記載されている。
【００２７】
また、磁性シート３の中心部３２は必ずしも筒抜けとする必要ない。平坦部３１と同一面であってもよいし、凹型や凸型であってもよい。
【００２８】
また、図２（ａ）にあるように、スリット３３を設けることによって、コイル２１の巻き終わりから端子２３までの導線（図２（ｃ））の黒丸に相当）をスリット３３内に収納することができるので、薄型化することができる。すなわち、スリット３３は磁性シート３の端部とほぼ垂直であり、中心部３２の外周の接線と重なるように形成される。このようにスリット３３を形成することによって、導線を折り曲げることなく端子２２、２３を形成することができる。なお、この場合、スリット３３の長さは約５ｍｍ〜２０ｍｍである。ただし、スリット３３の長さはコイル２１の内径に依存する。
【００２９】
また、スリット３３は、磁性シート３の端部と中心部３２の外周が最も近づく部分に形成してもよい。これによって、スリット３３の形成面積を最低限に抑えることができ、非接触充電モジュール１の伝送効率を向上させることができる。なお、この場合、スリット３３の長さは約５ｍｍ〜１０ｍｍである。どちらの配置であっても、スリット３３の内側端部は中心部３２に接続している。
【００３０】
また、スリット３３は他の配置にしてもよい。すなわち、コイル２１はなるべく１段構造であることが望ましく、その場合、コイル２１の半径方向のすべてのターンを１段構造とするか、１部を１段構造として他の部分を２段構造とすることが考えられる。従って、端子２２、２３のうち１方はコイル２１外周から引き出すことができるが、他方は内側から引き出さなくてはならない。従って、コイル２１が巻回されている部分と、足部２４とが、必ず厚さ方向において重なってしまう。従って、その重なる部分にスリット３３を設け、足部２４をその中に収納すればよい。これにより、コイル２１の導線が重なる部分と重ならない部分とにおいて非接触充電モジュール１の高さを同じにすることができる。なお、足部２４とは、コイル２１の巻き終わりから端子２２または２３までの部分をいう。スリット３３の場合は、磁性シート３の形成が容易となる。
【００３１】
特に、スリット３３はコイル２１面の内周円の円周の接線に平行であって、コイル面の巻始めもしくは巻き終わりの点から磁性シート３の端部にまで最短距離で伸びる直線状のものである。なお、コイル２１面の内周円の円周の接線とは、スリット３３はコイル２１面の内周円の外周付近から伸びており、スリット３３がコイル２１面の内周円の外周に近づく場所における内周円の円周の接線である。このようにスリット３３を形成することによって、磁性シート３上で導線を折り曲げることなく端子２２、２３を形成することができる。すなわち、スリット３３を設け、そのスリット３３に導線をはめ込むため、平坦部３１からスリット３３に向かって導線を厚み方向に屈折させなくてはならない。従って、導線が平坦部３１からスリット３３に向かってはめ込まれる部分において、磁性シート３上で導線を折り曲げることがないため、導線の強度を維持したまま薄型化を達成することができる。なお、この場合、スリット３３の直線部の長さは約５ｍｍ〜２０ｍｍである。なお、コイル２１は多角形状に巻回されてもよく、その場合、コイル２１面の内側端部が形成する空間の形状またはその接線に平行であって、コイル面の巻始めもしくは巻き終わりの点から磁性シート３の端部にまで最短距離で伸びる直線状にスリット３３を設けるとよい。
【００３２】
また、磁性シート３に、コイル２１面の内周円の円周の接線に垂直であって、コイル面の巻始めもしくは巻き終わりの点から磁性シート３の端部にまで最短距離で伸びるスリット３３を形成してもよい。これによって、スリット３３の形成面積を最低限に抑えることができ、非接触充電モジュール１の伝送効率を向上させることができる。なお、コイル２１は多角形状に巻回されてもよく、その場合、コイル２１面の内側端部が形成する空間の形状またはその接線に垂直であってもよいので、コイル面の巻始めもしくは巻き終わりの点から磁性シート３の端部にまで最短距離で伸びる直線状にスリット３３を設けるとよい。
【００３３】
また、本実施の形態においては、磁性シート３としてＮｉ−Ｚｎ系のフェライトシート、Ｍｎ−Ｚｎ系のフェライトシート、Ｍｇ−Ｚｎ系のフェライトシートなどを使うことができる。フェライトシートは、アモルファス金属の磁性シートに比較してコイル２１の交流抵抗を低下させることができる。
【００３４】
図２に示すように、磁性シート３は少なくとも高飽和磁束密度材３ａと高透磁率材３ｂとを積層している。なお、高飽和磁束密度材３ａと高透磁率材３ｂとを積層しない場合でも、飽和磁束密度３５０ｍＴ以上、厚みは少なくとも３００μｍの高飽和磁束密度材３ａを使用するとよい。
【００３５】
磁性シート３は大きさが約３３ｍｍ×３３ｍｍであり、高飽和磁束密度材３ａ、高透磁率材３ｂそれぞれの厚みを設定して積層している。磁性シート３の厚みは０．６ｍｍ、高飽和磁束密度材３ａの厚みは０．４５ｍｍ、高透磁率材３ｂの厚みは０．１５ｍｍである。
【００３６】
また図２では、スリット３３は方形の磁性シート３の一方の一対の対向する端部の辺に平行であり、他方の一対の対向する端部の辺には垂直である。これは、本実施の形態の磁性シート３が方形であるからである。しかしながら、磁性シート３の形状は方形に限定されず、円形、多角形など様々な形状が考えられる。従って、例えば磁性シート３の形状は多角形であり、スリット３３はその一端が突き当たる辺に対して垂直であることによって、利用しやすい多角形の磁性シートにおいてスリット３３の面積を最小限に抑えることができる。特に、磁性シート３の形状は矩形であり、磁性シート３の一方の一対の対向する端部の辺に平行であり、他方の一対の対向する端部の辺には垂直であることによって、最も利用しやすい方形形状の磁性シートにおいてスリット３３の面積を最小限に抑えることができる。
【００３７】
以上のことから、スリット３３は、コイル２１と足部２４とが重なりあう部分に設け、平坦部３１上にはコイル２１面が備えられる。なお、スリット３３は、多少長くまたは短く設けられても良いが、少なくともコイル２１と足部２４とが重なりあう部分の８０％以上はカバーできるようにしたほうが良い。
【００３８】
図３を用いて磁性シート３のスリット３３と縦横スリット３６との関係について詳細に説明する。
【００３９】
磁性シート３には、図１、図２、および図３に示されるとおり、縦方向と横方向で略直角に、略等間隔に縦横スリット３６が設けられている。なお、この磁性シート３の構成については、（特許文献２）に詳しく説明されている。
【００４０】
図３において、縦方向スリット３６ａは磁性シート３の端辺３ａと略平行であり、横方向スリット３６ｂは磁性シート３の端辺３ｂと略平行である。一方、スリット３３は磁性シート３の端辺３ａと略平行に、磁性シート３の端辺３ｂから内周円の円周上に向かって、一直線状に伸びている。すなわち、縦方向スリット３６ａはスリット３３の端部３３ａと略平行に形成されている。さらに、少なくともひとつ以上の縦方向スリット３６ａが形成される位置と同一の位置に重なる。
【００４１】
なお、本実施の形態ではスリット３３の幅を２ｍｍ、縦方向スリット３６ａの間隔を２ｍｍとしているが、スリット３３の幅は約１〜３ｍｍ、縦方向スリット３６ａの間隔は約１〜３ｍｍ内で設定するとよい。
【００４２】
さらに図３のＡ−Ａ´断面図を用いてスリット３３と縦方向スリット３６ａの位置関係について説明する。
【００４３】
図３に示すようにスリット３３の端部３３ａと縦方向スリット３６ａは略平行に構成されているので、図３のＡ−Ａ´断面図で明らかな通り、磁性シート３の端辺３ｂ（図３参照）から縦方向スリット３６ａは延びてきてスリット３３の部分で縦方向スリット３６ａは中断している。したがって、この構成により磁性シート３の磁気特性を悪化させることになる磁性シート３の薄膜化する領域がスリット３３と縦方向スリット３６ａを重ね合わせることで増加せずにすむので、非接触充電モジュール１の電力伝送特性に悪影響を与えてしまうことを防止し、かつ非接触充電モジュール１の電力伝送効率を大きく低下させることを防止することができる。また、縦方向スリット３６ａの少なくとも１本がスリット３３の端部３３ａと一致させることにより、磁気シート３の柔軟性をさらに増すことができる。
【００４４】
これによって、スリット３３と縦方向スリット３６ａとは斜めに交差することは無く、磁性シート３が小片に分解する領域が少ない。したがって、磁性シート３の膜厚が薄くなる領域の増加を防ぎ、非接触充電モジュール１の電力伝送特性に悪影響を与えてしまうことを防止し、かつ非接触充電モジュール１の電力伝送効率を大きく低下させることを防止することができる。
【００４５】
また、縦方向スリット３６ａと磁性シート３の端辺３ａとが略平行ではなく斜めの関係であり、横方向スリット３６ｂと磁性シート３の端辺３ｂとが略平行ではなく斜めの関係であると、磁性シート３のうちコイル２１が配置される外周側の部分において、コイル２１が対向する面積に対する縦横スリット３６の面積が大きくなってしまう（図２参照）。磁性シート３のうちコイルが対向する部分において縦横スリット３６の面積が大きくなると、スリットを解して漏れ磁束が増大し、非接触充電モジュールの電力伝送効率が低下してしまう。
【００４６】
すなわち、磁性シート３の形状を矩形にするとともに、縦方向スリット３６ａは磁性シート３の端辺３ａと略平行に、横方向スリット３６ｂは磁性シート３の端辺３ｂと略平行にする。縦横スリット３６と磁性シート３の端部３ａ、３ｂとは斜めに交差することは無く、磁性シート３が小片に分解する領域が少ない。これにより、スリット３３で説明したことと同様な効果を得ることができる。すなわち、縦横スリット３６が形成される面積を必要以上に大きくしないので、この磁性シート３を使用した非接触充電モジュール１の電力伝送効率の低下を防止することができる。
【００４７】
さらに、縦方向スリット３６ａと横方向スリット３６ｂは互いに直交することにより磁性シート３の端部３ａ、３ｂとは斜めに交差することは無く、磁性シート３が小片に分解する領域が少ない。すなわち、縦横スリット３６が形成される面積を必要以上に大きくしないので、この磁性シート３を使用した非接触充電モジュール１の電力伝送効率の低下を防止することができる。
【００４８】
そこで本願発明では、上述したように、スリット３３と、縦横スリット３６のひとつの方向のスリット（ここでは図３の縦方向スリット３６ａ）とが平行になるように配置する。その結果、磁性シート３の柔軟性を確保した状態で、縦横スリット３６が形成される面積を少なくすることができる。上記のような構成にすることによって、磁性シート３のうちコイル２１が配置される外周側の縦横スリット３６の面積を最小限に抑えることができる。その結果、柔軟性を備えた磁性シート３であっても、非接触充電モジュールの電力伝送効率を低下させることを防ぐことができる。
【００４９】
また、スリット３３のスリット幅は約１〜３ｍｍであり、縦方向スリット３６ａが形成される間隔は約１〜３ｍｍである。スリット３３のスリット幅を縦方向スリット３６ａが形成される間隔以上にすればスリット３３内に最低でも必ず１本以上の縦方向スリット３６ａが含まれることになり、スリット３３と縦方向スリット３６ａとが重なり合って縦方向スリット３６ａの領域を少なくするので、磁性シート３の膜厚が薄くなる領域の増加を防ぎ、非接触充電モジュール１の電力伝送特性に悪影響を与えてしまうことを防止し、かつ非接触充電モジュール１の電力伝送効率を大きく低下させることを防止することができる。
【００５０】
また、スリット３３の幅を縦方向スリット３６ａが形成される間隔の長さの整数倍にすれば、スリット３３の端部と縦方向スリット３６ａを重ね合わせることができるので磁性シート３の柔軟性をさらに向上させるとともに、磁性シート３の膜厚が薄くなる領域の増加を防ぎ、非接触充電モジュール１の電力伝送特性に悪影響を与えてしまうことを防止し、かつ非接触充電モジュール１の電力伝送効率を大きく低下させることを防止することができる。
【００５１】
なお、縦方向スリット３６ａと、横方向スリット３６ｂとは、それぞれ略同一の間隔で形成されている。それによって、磁性シートに方向性が生じない。
【００５２】
次に、本発明の非接触充電モジュール１を備えた非接触充電機器について説明する。非接触電力伝送機器は、送電用コイルおよび磁性シートを備える充電器と、受電用コイルおよび磁性シートを備える本体機器とから成るものであり、本体機器が携帯電話などの電子機器となっている。充電器側の回路は、整流平滑回路部と、電圧変換回路部と、発振回路部と、表示回路部と、制御回路部と、上記送電用コイルとで構成されている。また本体機器側の回路は、上記受電用コイルと、整流回路部と、制御回路部と、主として二次電池から成る負荷Ｌとで構成されている。
【００５３】
この充電器から本体機器への電力伝送は、１次側である充電器の送電用コイルと、２次側である本体機器の受電用コイルとの間の電磁誘導作用を利用して行われる。
【００５４】
本実施の形態の非接触充電機器は、上記で説明した非接触充電モジュールを備えるため、平面コイル部の断面積を十分に確保して電力伝送効率を向上させた状態で、非接触充電機器を小型化及び薄型化することができる。
【産業上の利用可能性】
【００５５】
本発明の非接触充電モジュールによれば、スリットの入った柔軟性を有する磁性シートを採用することによって磁性シートが破損してしまい電力伝送特性に悪影響を与えてしまうことを防止し、かつ非接触充電モジュールの電力伝送効率を大きく低下させることを防止することができるため、携帯電話、携帯用のコンピュータなどの携帯端末、ビデオカメラなどの携帯機器などの様々な電子機器の非接触充電モジュールとして有用である。
【符号の説明】
【００５６】
１    非接触充電モジュール
２    平面コイル部
２１    コイル
２２、２３    端子
２４    足部
３    磁性シート
３ａ、３ｂ    端辺
３１    平坦部
３２    中心部
３３    スリット
３６    縦横スリット
３６ａ    縦方向スリット
３６ｂ    横方向スリット
【要約】
【課題】スリットの入った柔軟性を有する磁性シートを採用することによって磁性シートが破損してしまい電力伝送特性に悪影響を与えてしまうことを防止し、かつ非接触充電モジュールの電力伝送効率を大きく低下させることを防止することができる非接触充電モジュールを提供することを目的とする。
【解決手段】前記磁性シートに複数のスリットがあり、前記第２のスリットが形成するスリット方向の少なくとも１方向が前記第１のスリットの延びる方向と平行であり、前記第１のスリットに平行な前記第２のスリットの少なくとも１本以上が前記第２のスリット内に含まれることを特徴とする。
【選択図】図３【図１】
0004835800.tif 000002
【図２】
0004835800.tif 000003
【図３】
0004835800.tif 000004